(57)【要約】【課題】供給管路の洗浄を簡素化することができる医療用装置および媒体導管セットを提供する。【解決手段】医療用装置１００は、診療装置本体１０と、媒体導管２０と、診療用ハンドピース３０とを備えている。媒体導管２０は、外装２０ａと、外装２０ａの内部に配置され、かつ診療装置本体１０から診療用ハンドピース３０に水を供給する供給管路２０ｂと、外装２０ａの内部に配置され、供給管路２０ｂに接続され、かつ媒体導管２０から診療装置本体１０に水を排出する排出管路２０ｃとを含んでいる。医療用装置１００は、供給管路２０ｂから診療用ハンドピース３０、および、排出管路２０ｂを経由して診療装置本体１０のいずれかに水を流すように構成された弁４０をさらに備えている。【選択図】図４
2020022888.tif 000002
【特許請求の範囲】
【請求項１】
診療装置本体と、
前記診療装置本体に接続された可撓性の媒体導管と、
前記媒体導管に接続され、かつ前記診療装置本体に前記媒体導管を経由して接続された診療用ハンドピースとを備え、
前記媒体導管は、
外装と、
前記外装の内部に配置され、かつ前記診療装置本体から前記診療用ハンドピースに水を供給する供給管路と、
前記外装の内部に配置され、前記供給管路に接続され、かつ前記媒体導管から前記診療装置本体に前記水を排出する排出管路とを含み、
前記供給管路から前記診療用ハンドピース、および、前記排出管路を経由して前記診療装置本体のいずれかに前記水を流すように構成された弁をさらに備えた、医療用装置。
【請求項２】
前記診療装置本体は、
前記供給管路に前記水を供給する媒体供給部を含み、
前記弁は、
前記媒体供給部と前記供給管路との間に配置された供給用開閉弁と、
前記排出管路が接続された前記供給管路の接続部分と前記診療用ハンドピースとの間に配置された供給管路開閉弁とを含み、
前記供給用開閉弁を開とし、前記供給管路開閉弁を閉とすることで、前記供給管路から前記排出管路を経由して前記診療装置本体に前記水が流れるように構成されている、請求項１に記載の医療用装置。
【請求項３】
前記診療用ハンドピースは複数のハンドピースを含み、
前記供給用開閉弁および前記各ハンドピース毎に設けられた前記供給管路開閉弁の開閉を制御して、前記各ハンドピースの少なくともいずれかの前記供給管路から前記排出管路を経由して前記診療装置本体に前記水が流れるように構成されている、請求項２に記載の医療用装置。
【請求項４】
前記供給管路開閉弁は、エアーにより作動するように構成されている、請求項２または３に記載の医療用装置。
【請求項５】
前記供給用開閉弁および前記供給管路開閉弁は、前記診療装置本体のメインスイッチの作動に連動して作動するように構成されている、請求項２〜４のいずれか１項に記載の医療用装置。
【請求項６】
前記診療装置本体および前記供給管路の少なくともいずれかに滞留する前記水の水質監視用検出器をさらに備え、
前記水質監視用検出器の出力に応じて自動的に前記供給用開閉弁および前記供給管路開閉弁は作動するように構成されている、請求項５に記載の医療用装置。
【請求項７】
前記供給管路は、前記診療装置本体から前記診療用ハンドピースに前記水を供給する給水管路である、請求項１〜６のいずれか１項に記載の医療用装置。
【請求項８】
前記排出管路は、前記媒体導管から前記診療装置本体に前記水を排出する排水管路である、請求項１〜７のいずれか１項に記載の医療用装置。
【請求項９】
前記診療装置本体は、
前記排出管路から排出された前記水を貯留する洗浄タンクと、
前記洗浄タンクに接続されたバキュームタンクとを含み、
前記洗浄タンクに貯留された前記水が、前記バキュームタンクに流れるように構成されている、請求項１〜８のいずれか１項に記載の医療用装置。
【請求項１０】
診療装置本体と、
前記診療装置本体に接続された可撓性の媒体導管と、
前記媒体導管に接続され、かつ前記診療装置本体に前記媒体導管を経由して接続された診療用ハンドピースとを備え、
前記媒体導管は、
外装と、
前記外装の内部に配置され、かつ前記診療装置本体から前記診療用ハンドピースに水を供給する供給管路と、
前記外装の内部に配置され、前記供給管路に接続され、かつ前記診療装置本体から前記診療用ハンドピースにエアーを給気する給気管路、または、前記外装の内部に配置され、前記供給管路に接続され、かつ前記診療用ハンドピースから前記診療装置本体にエアーを排気する排気管路とを含み、
前記供給管路から前記診療用ハンドピース、および、前記給気管路または前記排気管路を経由して前記診療装置本体のいずれかに前記水を流すように構成された弁をさらに備えた、医療用装置。
【請求項１１】
診療装置本体に着脱自在に接続可能な媒体導管セットであって、
前記診療装置本体に着脱自在に接続可能な可撓性の媒体導管と、
前記媒体導管に接続された診療用ハンドピースとを備え、
前記媒体導管は、
外装と、
前記外装の内部に配置され、かつ前記診療装置本体から前記診療用ハンドピースに水を供給するための供給管路と、
前記外装の内部に配置され、前記供給管路に接続され、かつ前記媒体導管から前記診療装置本体に前記水を排出するための排出管路とを含み、
前記供給管路から前記診療用ハンドピース、および、前記排出管路のいずれかに前記水を流すように構成された弁をさらに備えた、媒体導管セット。
【発明の詳細な説明】
【技術分野】
【０００１】
本発明は、医療用装置および媒体導管セットに関するものである。
【背景技術】
【０００２】
医療用装置の一例としての歯科用診療装置は、診療装置本体と、診療用ハンドピースとを備えている。診療用ハンドピースの使用時には、診療装置本体から診療用ハンドピースに給水管路を経由して水が供給される。診療用ハンドピースの使用後には、給水管路内に水が残留する。休暇等で給水管路内に水が長時間にわたって残留すると、給水管路内に雑菌が増殖することがある。そのため、診療用ハンドピースの使用に先立って、給水管路内に残留した水を排水して新しい水を給水管路に流して給水管路内を洗浄することが求められる。
【０００３】
たとえば、特許第４３４８０７５号公報（特許文献１）には、減菌剤を添加された処置液を供給管路（給水管路）に流して供給管路を洗浄する歯科用診療装置が記載されている。
【先行技術文献】
【特許文献】
【０００４】
【特許文献１】特許第４３４８０７５号公報
【発明の概要】
【発明が解決しようとする課題】
【０００５】
上記公報に記載された歯科用診療装置では薬液を使用して供給管路を洗浄しているため、薬液の調整等のために手間がかかるという問題がある。また、薬液による人体への影響が無いようにしなければならないという問題も有る。
【０００６】
本発明は、上記課題に鑑みてなされたものであり、その目的は、供給管路の洗浄を簡素化することができる医療用装置および媒体導管セットを提供することである。
【課題を解決するための手段】
【０００７】
本発明の医療用装置は、診療装置本体と、診療装置本体に接続された可撓性の媒体導管と、媒体導管に接続され、かつ診療装置本体に媒体導管を経由して接続された診療用ハンドピースとを備えている。媒体導管は、外装と、外装の内部に配置され、かつ診療装置本体から診療用ハンドピースに水を供給する供給管路と、外装の内部に配置され、供給管路に接続され、かつ媒体導管から診療装置本体に水を排出する排出管路とを含んでいる。本発明の医療用装置は、供給管路から診療用ハンドピース、および、排出管路を経由して診療装置本体のいずれかに水を流すように構成された弁をさらに備えている。
【発明の効果】
【０００８】
本発明の医療用装置によれば、弁は、供給管路から診療用ハンドピース、および、排出管路を経由して診療装置本体のいずれかに水を流すように構成されているため、供給管路から排出管路に水を流すことができる。したがって、水により供給管路を洗浄することができるため、供給管路の洗浄を簡素化することができる。
【図面の簡単な説明】
【０００９】
【図１】本発明の一実施の形態における医療用装置の構成を概略的に示す斜視図である。
【図２】図１に示すトレーテーブルと、媒体導管と、診療用ハンドピースとを概略的に示す斜視図である。
【図３】図２のＩＩＩ−ＩＩＩ線に沿う断面斜視図である。
【図４】本発明の一実施の形態における医療用装置の管路構成を概略的に示す図である。
【図５】本発明の一実施の形態における医療用装置の制御ブロック図である。
【図６】本発明の一実施の形態における医療用装置の洗浄方法のタイミングチャート図である。
【図７】本発明の一実施の形態における医療用装置の洗浄方法のフローチャート図である。
【図８】本発明の一実施の形態における医療用装置の別の洗浄方法のフローチャート図である。
【図９】本発明の一実施の形態における医療用装置の変形例１の管路構成を概略的に示す図である。
【図１０】本発明の一実施の形態における医療用装置の変形例２の管路構成を概略的に示す図である。
【図１１】本発明の一実施の形態における医療用装置の変形例３の管路構成を概略的に示す図である。
【図１２】図２に示す診療用ハンドピースに着脱係合するための媒体導管の先端部の組立断面図である。
【発明を実施するための形態】
【００１０】
以下、本発明の実施の形態について図に基づいて説明する。
まず、本発明の一実施の形態における医療用装置の構成について説明する。本実施の形態では医療用装置の一例として歯科用診療装置について説明する。
【００１１】
図１を参照して、本実施の形態に係る医療用装置１００は、診療装置本体１０と、媒体導管２０と、診療用ハンドピース３０とを備えている。媒体導管２０と、診療用ハンドピース３０とは媒体導管セットを構成している。媒体導管セットは診療装置本体１０に着脱自在に接続可能に構成されている。
【００１２】
診療装置本体１０は、診療台１と、スピットン２と、照明装置３と、照明装置用アーム４と、トレーテーブル５と、トレーテーブル用アーム６を備えている。診療台１は、患者が着座または仰臥した状態で診療を受けることができるように構成されている。診療台１は、基台１ａと、座板１ｂと、背板１ｃと、ヘッドレスト１ｄと、アームレスト１ｅとを備えている。座板１ｂは基台１ａ上に昇降自在に設置されている。背板１ｃは座板１ｂの一端に起伏自在に取り付けられている。ヘッドレスト１ｄは背板１ｃの上端に傾動自在に取り付けられている。アームレスト１ｅは座板１ｂの側方に設置されている。
【００１３】
スピットン２は診療台１の側方に設置されている。スピットン２は、胴部２ａと、ベースン２ｂと、コップ給水栓（コップ給水部）２ｃとを備えている。胴部２ａの上端にベースン２ｂが設置されている。ベースン２ｂにコップ給水栓２ｃが設置されている。照明装置３は、照明装置用アーム４を介してスピットン２に接続されている。照明装置３はたとえば無影灯である。
【００１４】
トレーテーブル５は、トレーテーブル用アーム６を介して基台１ａに接続されている。トレーテーブル５は、診療器具、薬品および診療用ハンドピース（インスツルメント）３０を置いたり、保持したりするために使用される。また、トレーテーブル５は、診療台１および診療用ハンドピース３０などの操作を設定するための操作設定部５ａを備えている。
【００１５】
図１および図２を参照して、媒体導管２０は、診療装置本体１０から電気、エアー、水等の作用媒体を診療用ハンドピース３０に供給するように構成されている。図２においては、見やすくするため、媒体導管２０および診療用ハンドピース３０は１つずつ図示されている。また、図２においては、説明の便宜のため、媒体導管２０から診療用ハンドピース３０が取り外された状態が図示されている。
【００１６】
媒体導管２０は、診療装置本体１０と、診療用ハンドピース３０とに接続されている。具体的には、複数の媒体導管２０の一部をなすアシスタント側ハンドピースホルダ２ｄにはスピットン２と診療用ハンドピース３０とを接続し、複数の媒体導管２０の他部をなすドクター側ハンドピースホルダ５ｂはトレーテーブル５の下部に配置され、トレーテーブル５と診療用ハンドピース３０とを接続している。また、媒体導管２０は、可撓性を有している。媒体導管２０は先端に診療用ハンドピース３０に係合するための係合部２０Ｘを備えている。図２中矢印で示されるように、係合部２０Ｘは診療用ハンドピース３０の一端から診療用ハンドピース３０の内部に挿入されている。このようにして、媒体導管２０は診療用ハンドピース３０に着脱自在に接続されている。
【００１７】
図２および図３を参照して、エアタービンハンドピースを例として説明する。媒体導管２０は、外装２０ａと、水を供給する供給管路２０ｂと、水を排出する排出管路２０ｃと、駆動用エアーを供給する給気管路２０ｄと、駆動用エアーを排気する排気管路２０ｆを含んでいる。外装２０ａは管形状を有している。外装２０ａの内部に供給管路２０ｂ、給気管路２０ｄ、排気管路２０ｆおよび排出管路２０ｃが配置されている。供給管路２０ｂ、給気管路２０ｄ、排気管路２０ｆ、および排出管路２０ｃは外装２０ａの内部において並んで配置されている。外装２０ａの材質はたとえばシリコーンである。供給管路２０ｂ、給気管路２０ｄ、排気管路２０ｆおよび排出管路２０ｃの各々は、たとえば２層構造であり、この２層構造の内側層の材質はフッ素樹脂であり、外側層の材質はウレタンである。供給管路２０ｂは、診療装置本体１０から診療用ハンドピース３０に水を供給するように構成されている。つまり、供給管路２０ｂは、診療装置本体１０から診療用ハンドピース３０に水を供給する給水管路である。排出管路２０ｃは、媒体導管２０から診療装置本体１０に水を排出するように構成されている。つまり、排出管路２０ｃは、媒体導管２０から診療装置本体１０に水を排出する排水管路である。給気管路２０ｄは、診療用ハンドピース３０に駆動用エアーを供給する給気管路である。なお、エアタービンハンドピースにおいては、駆動用エアーを供給する給気管路や駆動用エアーを排気する排気管路を設けることが必須であるが、マイクロモータハンドピースや、超音波ハンドピース等においては、排気管路は必要ではない。
【００１８】
図１および図２を参照して、診療用ハンドピース３０は、歯科診療用のインスツルメントである。診療用ハンドピース３０は複数のハンドピースを含んでいてもよい。診療用ハンドピース３０は、たとえば第１エアタービンハンドピース（ハイスピードハンドピース）３１、第２エアタービンハンドピース（ハイスピードハンドピース）３２、マイクロモーターハンドピース（ロースピードハンドピース）３３、スリーウェイシリンジ３４等である。診療用ハンドピース３０は、トレーテーブル５に設けられたドクター側ハンドピースホルダ５ｂおよびスピットン胴部２ａに設けられたアシスタント側ハンドピースホルダ２ｄに係止されるように構成されている。
【００１９】
図１、図２および図４を参照して、医療用装置１００は、弁４０をさらに備えている。弁４０は、水を供給する供給管路２０ｂから診療用ハンドピース３０、および、水を排出する排出管路２０ｃを経由して診療装置本体１０のいずれかに水を流すように構成されている。弁４０は、媒体導管２０の内部に配置されていてもよく、また診療用ハンドピース３０の内部に配置されていてもよい。さらに、弁４０は、媒体導管２０、診療用ハンドピース３０および診療装置本体１０の少なくともいずれかに分離して配置されていてもよい。
【００２０】
本実施の形態では、弁４０は、供給用開閉弁４０ａと、供給管路開閉弁４０ｂと、排出用開閉弁４０ｃとを含んでいる。供給用開閉弁４０ａ、供給管路開閉弁４０ｂおよび排出用開閉弁４０ｃはそれぞれ電磁弁であってもよい。供給用開閉弁４０ａは診療装置本体１０内の水元（水道水）５０ａから診療用ハンドピース３０に繋がる主給水管路（媒体供給部）５１と媒体導管２０の水を供給する供給管路２０ｂとの間に配置されている。供給管路開閉弁４０ｂは媒体導管２０の水を排出する排出管路２０ｃが接続された水を供給する供給管路２０ｂの接続部分と診療用ハンドピース３０との間に配置されている。供給管路開閉弁４０ｂは、望ましくは媒体導管２０の診療用ハンドピース３０との接続部に設けられている。排出用開閉弁４０ｃは、排水部（媒体排出部）１４０と媒体導管２０の水を排出する排出管路２０ｃとの間に配置されている。供給管路２０ｂと排出管路２０ｃとの分岐部は、媒体導管２０に配置される供給管路開閉弁４０ｂの上流側直前に設けられている。
【００２１】
医療用装置１００は、供給用開閉弁４０ａを開とし、供給管路開閉弁４０ｂを閉とし、排出用開閉弁４０ｃを開とすることで、媒体導管２０の水を供給する供給管路２０ｂから水を排出する排出管路２０ｃを経由して診療装置本体１０に水が流れるように構成されている。
【００２２】
また、医療用装置１００は、供給用開閉弁４０ａおよび各ハンドピース毎に設けられた供給管路開閉弁４０ｂの開閉を制御して、各ハンドピースの少なくともいずれかの水を供給する供給管路２０ｂから水を排出する排出管路２０ｃを経由して診療装置本体１０に水が流れるように構成されていてもよい。
【００２３】
次に、図４および図５を参照して、本実施の形態に係る医療用装置１００の管路構成について説明する。なお、図４では、図が複雑になることを避けるために、第１エアタービンハンドピース３１および第２エアタービンハンドピース３２の排気管路２０ｆは省略されている。
【００２４】
診療装置本体１０は、給水用管路５０（供給管路２０ｂに相当）と、エアー供給管路６０（給気管路２０ｄに相当）と、排水用管路７０（排出管路２０ｃに相当）と、洗浄装置１１０と、流量計１２０と、洗浄タンク１３０と、排水部１４０と、バキュームタンク１５０と、制御部１６０と、水質監視用検出器１７０とを備えている。
【００２５】
給水用管路５０は、主給水管路５１と、第１エアタービンハンドピース３１に給水される第１分岐給水管路５２と、第２エアタービンハンドピース３２に給水される第２分岐給水管路５３と、マイクロモータハンドピース３３に給水される第３分岐給水管路５４と、スリーウェイシリンジ３４に給水される第４分岐給水管路５５と、コップ給水栓２ｃに給水する第５分岐給水管路５６とを含んでいる。前記第１分岐給水管路５２、第２分岐給水管路５３、第３分岐給水管路５４、第４分岐給水管路５５および第５分岐給水管路５６はそれぞれ主給水管路５１から分岐している。
【００２６】
主給水管路５１は、診療用の水の水元（水道水）５０ａに接続されている。主給水管路５１には、上流側から順に、手動の元弁５１ａ、給水元電磁弁５１ｂ、除菌フィルタ５１ｃ、流量計１２０およびウォーマータンク５１ｄ等が設けられている。主給水管路（媒体供給部）５１は、媒体導管２０の供給管路２０ｂに水を供給するように構成されている。
【００２７】
主給水管路５１には流量計１２０が取り付けられている。流量計１２０は主給水管路５１を流れる水の流量を計測するためのものである。流量計１２０は、主給水管路５１と洗浄装置１１０との接続部分よりも下流側に配置されている。
【００２８】
また、主給水管路５１には水質監視用検出器１７０が取り付けられている。水質監視用検出器１７０は、診療装置本体１０および水を供給する供給管路２０ｂの少なくともいずれかに滞留する水の水質を監視するための検出器である。したがって、水質監視用検出器１７０は、媒体導管２０の水を排出する排出管路２０ｃにも取り付けられていてもよい。供給用開閉弁４０ａおよび供給管路開閉弁４０ｂは、水質監視用検出器１７０の出力に応じて自動的に作動するように構成されていてもよい。
【００２９】
第１エアタービンハンドピース３１の第１分岐排水管路７２と、第２エアタービンハンドピース３２の第２分岐排水管路７３と、マイクロモーターハンドピース３３の第３分岐排水管路７４は、合流して排水用管路７０となり、メインチューブフラッシング電磁弁（排出用開閉弁）４０ｃを経て第１主排水管路７１から洗浄タンク１３０に排水される。
【００３０】
スリーウェイシリンジ３４の第２主排水管路７５は、主管路フラッシング電磁弁４０ｄを経て洗浄タンク１３０に排水される。
【００３１】
第１分岐給水管路５２は第１エアタービンハンドピース３１のメインチューブ２１（媒体導管２０）を介して第１エアタービンハンドピース３１に接続されている。第１エアタービンハンドピース３１のメインチューブ２１の供給管路２０ｂの一端（第１端）は、診療装置本体１０の第１メインチューブ着脱部１０ａ１において第１分岐給水管路５２に接続されている。第１エアタービンハンドピース３１のメインチューブ２１の供給管路２０ｂの他端（第２端）は第１エアタービンハンドピース３１に接続されている。第１分岐給水管路５２には、第１エアタービン注水電磁弁５２ａ（供給用開閉弁４０ａ）が設けられている。第１エアタービンハンドピース３１に給水する供給管路２０ｂには、第１エアタービン注水切替電磁弁５２ｂ（供給管路開閉弁４０ｂ）が設けられている。
【００３２】
第１エアタービンハンドピース３１のメインチューブ２１の排出管路２０ｃの一端（第１端）は、診療装置本体１０の第１メインチューブ着脱部１０ａ１において第１分岐排水管路７２に接続されている。第１エアタービンハンドピース３１のメインチューブ２１の排出管路２０ｃの他端（第２端）は、第１エアタービン注水切替電磁弁５２ｂ（供給管路開閉弁４０ｂ）の手前で第１エアタービンハンドピース３１のメインチューブ２１の供給管路２０ｂに接続されている。
【００３３】
第１エアタービンハンドピース３１のメインチューブ２１の排出管路２０ｃの他端と供給管路２０ｂとの接続部分と、第１エアタービンハンドピース３１との間に、第１エアタービン注水切替電磁弁５２ｂが配置されている。つまり、第１エアタービン注水切替電磁弁５２ｂは、第１エアタービンメインチューブ２１の排出管路２０ｃの他端と供給管路２０ｂとの接続部分よりも下流側に配置されている。具体的には第１エアタービン注水切替電磁弁５２ｂ（供給管路開閉弁４０ｂ）は、望ましくは媒体導管２０の診療用ハンドピース３１との接続部に設けられている。
【００３４】
第２分岐給水管路５３は第２エアタービンハンドピース３２のメインチューブ２２（媒体導管２０）を介して第２エアタービンハンドピース３２に接続されている。第２エアタービンハンドピース３２のメインチューブ２２の供給管路２０ｂの一端（第１端）は、診療装置本体１０の第２メインチューブ着脱部１０ａ２において第２分岐給水管路５３に接続されている。第２エアタービンハンドピース３２のメインチューブ２２の供給管路２０ｂの他端（第２端）は、第２エアタービンハンドピース３２に接続されている。第２分岐給水管路５３には、第２エアタービン注水電磁弁５３ａ（供給用開閉弁４０ａ）が設けられている。第２エアタービンハンドピース３２に給水する供給管路２０ｂには、第２エアタービン注水切替電磁弁５３ｂ（供給管路開閉弁４０ｂ）が設けられている。
【００３５】
第２エアタービンハンドピース３２のメインチューブ２２の排出管路２０ｃの一端（第１端）は、診療装置本体１０の第２メインチューブ着脱部１０ａ２において第２分岐排水管路７３に接続されている。第２エアタービンハンドピース３２のメインチューブ２２の排出管路２０ｃの他端（第２端）は、第２エアタービン注水切替電磁弁５３ｂ（供給管路開閉弁４０ｂ）の手前で第２エアタービンハンドピース３２のメインチューブ２２の供給管路２０ｂに接続されている。
【００３６】
第２エアタービンハンドピース３２のメインチューブ２２の排出管路２０ｃの他端と供給管路２０ｂとの接続部分と、第２エアタービンハンドピース３２との間に、第２エアタービン注水切替電磁弁５３ｂが配置されている。つまり、第２エアタービン注水切替電磁弁５３ｂは、第２エアタービンハンドピース３２のメインチューブ２２の排出管路２０ｃの他端と供給管路２０ｂとの接続部分よりも下流側に配置されている。具体的には第２エアタービン注水切替電磁弁５３ｂ（供給管路開閉弁４０ｂ）は、望ましくは媒体導管２０の診療用ハンドピース３２との接続部に設けられている。
【００３７】
第３分岐給水管路５４はマイクロモーターハンドピース３３のメインチューブ２３（媒体導管２０）を介してマイクロモーターハンドピース３３に接続されている。マイクロモーターハンドピース３３のメインチューブ２３の供給管路２０ｂの一端（第１端）は、診療装置本体１０の第３メインチューブ着脱部１０ａ３において第３分岐給水管路５４に接続されている。マイクロモーターハンドピース３３のメインチューブ２３の供給管路２０ｂの他端（第２端）はマイクロモーターハンドピース３３に接続されている。第３分岐給水管路５４には、マイクロモーター注水電磁弁５４ａ（供給用開閉弁４０ａ）が設けられている。マイクロモーターハンドピース３３に給水する供給管路２０ｂには、マイクロモーター注水切替電磁弁５４ｂ（供給管路開閉弁４０ｂ）が設けられている。
【００３８】
マイクロモーターハンドピース３３のメインチューブ２３の排出管路２０ｃの一端（第１端）は、診療装置本体１０の第３メインチューブ着脱部１０ａ３において第３分岐排水管路７４に接続されている。マイクロモーターハンドピース３３のメインチューブ２３の排出管路２０ｃの他端（第２端）は、マイクロモーター注水切替電磁弁５４ｂ（供給管路開閉弁４０ｂ）の手前でマイクロモーターハンドピース３３のメインチューブ２３の供給管路２０ｂに接続されている。尚、マイクロモーターハンドピース３３では一般的に排出管路２０ｃは、設けられていないが、本発明では管路洗浄のために設ける構成とする。
【００３９】
マイクロモーターハンドピース３３のメインチューブ２３の排出管路２０ｃの他端と供給管路２０ｂとの接続部分と、マイクロモーターハンドピース３３との間に、マイクロモーター注水切替電磁弁５４ｂが配置されている。つまり、マイクロモーター注水切替電磁弁５４ｂは、マイクロモーターハンドピース３３のメインチューブ２３の排出管路２０ｃの他端と供給管路２０ｂとの接続部分よりも下流側に配置されている。具体的にはマイクロモーター注水切替電磁弁５４ｂ（供給管路開閉弁４０ｂ）は、望ましくは媒体導管２０の診療用ハンドピース３３との接続部に設けられている。
【００４０】
第４分岐給水管路５５はスリーウェイシリンジ３４のメインチューブ２４（媒体導管２０）を介してスリーウェイシリンジ３４に接続されている。スリーウェイシリンジ３４のメインチューブ２４の供給管路２０ｂの一端（第１端）は、診療装置本体１０の第４メインチューブ着脱部１０ａ４において第４分岐給水管路５５に接続されている。スリーウェイシリンジ３４のメインチューブ２４の供給管路２０ｂの他端（第２端）はスリーウェイシリンジ３４に接続されている。スリーウェイシリンジ３４には、手動開閉弁（給水用操作レバー）３４ｂが備えられ、この手動開閉弁（給水用操作レバー）３４ｂの押圧操作によってこの手動開閉弁（給水用操作レバー）３４ｂが開き、スリーウェイシリンジ３４の先端部３４ｃから注水される構成である。
【００４１】
スリーウェイシリンジ３４のメインチューブ２４の水を排出する排出管路２０ｃの一端（第１端）は、診療装置本体１０の第４メインチューブ着脱部１０ａ４において第２主排水管路７５に接続されている。スリーウェイシリンジ３４のメインチューブ２４の水を排出する排出管路２０ｃの他端（第２端）は、スリーウェイシリンジ３４のメインチューブ２４の供給管路２０ｂに接続されている。なお、スリーウェイシリンジ３４においては、供給管路２０ｂと排出管路２０ｃの分岐部は、媒体導管２０のスリーウェイシリンジ３４との接続部近傍に配設されることが望ましい。
【００４２】
第１主排水管路７１には、メインチューブフラッシング電磁弁（排出用開閉弁）４０ｃが設けられている。メインチューブフラッシング電磁弁（排出用開閉弁）４０ｃは、第１分岐排水管路７２、第２分岐排水管路７３および第３分岐排水管路７４が第１主排水管路７１に合流する合流部分と、洗浄タンク１３０との間に配置されている。つまり、メインチューブフラッシング電磁弁（排出用開閉弁）４０ｃは、第１分岐排水管路７２、第２分岐排水管路７３および第３分岐排水管路７４が第１主排水管路７１に合流する合流部分よりも下流側に配置されている。
【００４３】
第２主排水管路７５には、主管路フラッシング電磁弁４０ｄが設けられている。第２主排水管路７５は、洗浄タンク（排水容器）１３０に接続されている。洗浄タンク１３０は、第１エアタービンメインチューブ２１、第２エアタービンメインチューブ２２、マイクロモーターメインチューブ２３、スリーウェイシリンジメインチューブ２４のそれぞれの水を排出する排出管路２０ｃから排出された水を貯留するように構成されている。
【００４４】
洗浄タンク１３０と排水部１４０とは接続管路１４１により接続されている。排水部１４０は、媒体導管２０の排出管路２０ｃから水が排出されるように構成されている。洗浄タンク１３０とバキュームタンク１５０とは接続管路１５１により接続されている。本実施の形態の医療用装置１００は、洗浄タンク１３０に貯留された水が洗浄タンク１３０に接続されたバキュームタンク１５０に流れ、バキュームタンク内を洗浄するように構成されている。
【００４５】
第１エアタービンハンドピース３１、第２エアタービンハンドピース３２およびマイクロモーターハンドピース３３の通常の使用時においては、少なくともいずれかのインスツルメントが診療装置本体１０のホルダーから取上られたことがホルダーに設けられたセンサ（図示せず）により検出され、フートスイッチ（図示せず）の操作がなされると、取り外されたインスツルメントに対応する供給用開閉弁４０ａおよび供給管路開閉弁４０ｂが開となり、排出用開閉弁４０ｃが閉となって、当該インスツルメントの注水口から注水がなされる。
【００４６】
他方、各診療用ハンドピース３０のフラッシング（洗浄）時においては、少なくともいずれかのインスツルメントに対応する供給用開閉弁４０ａが開となり、供給管路開閉弁４０ｂが閉となり、排出用開閉弁４０ｃが開となって、媒体導管２０の供給管路２０ｂから排出管路２０ｃおよび排水用管路７０を経由して洗浄タンク１３０に水が排出される。
【００４７】
スリーウェイシリンジ３４に接続される第４分岐給水管路５５には、供給用開閉弁４０ａは設けられていない。また、スリーウェイシリンジ３４のメインチューブ２４の供給管路２０ｂには、供給管路開閉弁４０ｂは設けられていない。スリーウェイシリンジ３４は、グリップ部３４ａに給水用操作レバー３４ｂを備えている。ドクターおよびアシスタントによる給水用操作レバー３４ｂの押圧操作によってスリーウェイシリンジ３４の先端ノズル部３４ｃからの注水がなされ、給水用操作レバー３４ｂの押圧操作がなされない限りスリーウェイシリンジ３４の注水はなされない。したがって、スリーウェイシリンジメインチューブ２４の供給管路２０ｂには、供給管路開閉弁４０ｂは設けられていないが、排出管路２０ｃおよび排水用管路（第２主排水管路）７５が設けられているので媒体導管２０の供給管路２０ｂから排出管路２０ｃおよび排水用管路（第２主排水管路）７５を経由して洗浄タンク１３０に管路内の水が排出される。
【００４８】
また、第５分岐給水管路５６はコップ給水栓２ｃに接続されている。第５分岐給水管路５６には、コップ給水弁５６ａが設けられている。コップ給水弁５６ａはたとえば電磁弁である。コップ給水栓２ｃに設けられたセンサ（図示せず）によりコップ給水栓２ｃの下のコップ（図示せず）の存在が検出されると、コップ給水弁５６ａが開となって、コップ給水栓２ｃからコップに給水がなされる。
【００４９】
エアー供給管路６０は、主エアー供給管路６１と、第１分岐エアー供給管路６２と、第２分岐エアー供給管路６３と、第３分岐エアー供給管路６４と、第４分岐エアー供給管路６５とを含んでいる。第１分岐エアー供給管路６２、第２分岐エアー供給管路６３、第３分岐エアー供給管路６４および第４分岐エアー供給管路６５はそれぞれ主エアー供給管路６１から分岐している。
【００５０】
主エアー供給管路６１は、コンプレッサー（不図示）による圧縮空気源としてのエアー元６０ａに接続されている。主エアー供給管路６１には、上流側から順に、手動の元弁６１ａおよび除菌フィルタ６１ｂ等が設けられている。
【００５１】
第１分岐エアー供給管路６２は第１エアタービンメインチューブ（媒体導管）２１を介して第１エアタービンハンドピース３１に接続されている。第１分岐エアー供給管路６２には、第１エアタービン駆動エアー電磁弁６２ａが設けられている。第１エアタービンメインチューブ２１は給気管路２０ｄを有している。第１エアタービンメインチューブ２１の給気管路２０ｄの一端（第１端）は、診療装置本体１０の第１メインチューブ着脱部１０ａ１において第１分岐エアー供給管路６２に接続されている。第１エアタービンメインチューブ２１の給気管路２０ｄの他端（第２端）は第１エアタービンハンドピース３１に接続され、エアタービンハンドピースヘッド（不図示）に設けたタービン（不図示）を回転させたり、別途不図示の射出口から噴射可能とされている。
【００５２】
第２分岐エアー供給管路６３は第２エアタービンメインチューブ（媒体導管）２２を介して第２エアタービンハンドピース３２に接続されている。第２分岐エアー供給管路６３には、第２エアタービン駆動エアー電磁弁６３ａが設けられている。第２エアタービンメインチューブ２２は給気管路２０ｄを有している。第２エアタービンメインチューブ２２の給気管路２０ｄの一端（第１端）は、診療装置本体１０の第２メインチューブ着脱部１０ａ２において第２分岐エアー供給管路６３に接続されている。第２エアタービンメインチューブ２２の給気管路２０ｄの他端（第２端）は第２エアタービンハンドピース３２に接続され、エアタービンハンドピースヘッド（不図示）に設けたタービン（不図示）を回転させたり、別途不図示の射出口から噴射可能とされている。
【００５３】
第３分岐エアー供給管路６４はマイクロモーターメインチューブ（媒体導管）２３を介してマイクロモーターハンドピース３３に接続されている。第３分岐エアー供給管路６４には、マイクロモータークーリングエア電磁弁６４ａが設けられている。マイクロモーターメインチューブ２３は給気管路２０ｄを有している。マイクロモーターメインチューブ２３の給気管路２０ｄの一端（第１端）は、診療装置本体１０の第３メインチューブ着脱部１０ａ３において第３分岐エアー供給管路６４に接続されている。マイクロモーターメインチューブ２３の給気管路２０ｄの他端（第２端）はマイクロモーターハンドピース３３に接続され、別途不図示の射出口から噴射可能とされている。
【００５４】
第４分岐エアー供給管路６５はスリーウェイシリンジメインチューブ（媒体導管）２４を介してスリーウェイシリンジ３４に接続されている。スリーウェイシリンジ３４は給気管路２０ｄを有している。スリーウェイシリンジメインチューブ２４の給気管路２０ｄの一端（第１端）は、診療装置本体１０の第４メインチューブ着脱部１０ａ４において第４分岐エアー供給管路６５に接続されている。スリーウェイシリンジメインチューブ２４の給気管路２０ｄの他端（第２端）はスリーウェイシリンジ３４に接続されている。
【００５５】
ハンドピース制御ブロック１０ｂは、第１エアタービン注水電磁弁５２ａ、第２エアタービン注水電磁弁５３ａ、マイクロモーター注水電磁弁５４ａ、第１エアタービン駆動エアー電磁弁６２ａ、第２エアタービン駆動エアー電磁弁６３ａ、マイクロモータークーリングエア電磁弁６４ａを含んでいる。
【００５６】
フートスイッチ（図示せず）の操作がなされると、第１エアタービンハンドピース３１および第２エアタービンハンドピース３２の少なくともいずれかのインスツルメントに対応する第１エアタービン駆動エアー電磁弁６２ａおよび第２エアタービン駆動エアー電磁弁６３ａが開閉し、第１エアタービンハンドピース３１および第２エアタービンハンドピース３２へタービン駆動エアーが供給され、エアタービンヘッド（不図示）に内蔵されたタービン（不図示）を回転させたり、別途不図示の噴射口から噴射可能とされる。
【００５７】
また、フートスイッチ（図示せず）の操作がなされると、マイクロモータークーリングエア電磁弁６４ａが開閉し、マイクロモーターハンドピース３３へクーリングエアが供給され別途不図示のマイクロモーターハンドピース３３の噴射口から噴射される。
【００５８】
第４分岐エアー供給管路６５には、上記のような電磁弁は設けられていない。スリーウェイシリンジ３４は、グリップ部３４ａにエアー用操作レバー（図示せず）を備えている。ドクターおよびアシスタントによるエアー用操作レバーの押圧操作によって先端ノズル部３４ｃからのエアーの噴出がなされる。エアー用操作レバーは、給水用操作レバー３４ｂと並設されている。ドクター及びアシスタントによってエアー用操作レバーおよび給水用操作レバー３４ｂが選択的に、あるいは、同時に押圧操作される。
【００５９】
主給水管路５１には、洗浄装置１１０が接続されている。洗浄装置１１０を薬液洗浄装置とする場合、薬液洗浄装置は、薬液ボトル１１０ａと、薬液ポンプ１１０ｂとを含んでいる。薬液ボトル１１０ａには、たとえば、過酸化水素水、次亜塩素酸ナトリウム等の薬液が充填されている。薬液ポンプ１１０ｂは、薬液ボトル１１０ａの薬液を適量ずつ主給水管路５１に供給するように構成されている。薬液ボトル１１０ａには薬液量検出部１１１が取り付けられている。薬液量検出部１１１は、薬液ボトル１１０ａの薬液量を検出可能なセンサである。
【００６０】
洗浄タンク１３０からの排水は、接続管路１４１を経て、排水部１４０に排水される。また、洗浄タンク１３０からの排水は、接続管路１５１を経て、バキュームタンク１５０に送られる。この排水によりバキュームタンク１５０を洗浄することができる。
【００６１】
制御部１６０は医療用装置１００の全体の制御を司るように構成されている。制御部１６０はたとえばＣＰＵ（セントラルプロセッシングユニット）である。制御部１６０には、洗浄装置１１０、薬液量検出部１１１、流量計１２０、駆動部１６１、表示部１６２、報知部１６３、管路洗浄スイッチ１６４、フラッシングスイッチ１６５、メインスイッチ１６６、水質監視用検出器１７０が接続されている。
【００６２】
駆動部１６１は、各インスツルメント等の電磁弁等を駆動させるためのものである。表示部１６２は、トレーテーブル５等に設置されており、診療等に関する各種情報が表示される。報知部１６３は、洗浄装置１１０の薬液ボトル内の薬液量が薬液量検出部１１１によって少なくなったことが検出された場合、および、その他の装置での異常を検知した場合等において、その旨の報知を行うべく機能する。
【００６３】
別の実施例として、診療装置本体１０は、上記の洗浄装置１１０としてマイクロバブル発生器を備えていても良いし、紫外線発生器を備えて管路内の滅菌を行っても良い。また、上記の実施例では、排水は、洗浄タンク１３０で貯留した上で排水しているが、洗浄タンク１３０の手前で排水管路７１、７５と、供給管路２０ｂとを図示しないポンプ及び三方電磁弁を介して接続して、このポンプを駆動させることで、管路内の水を循環させることも出来る。管路内の水を循環させる場合には、上記の薬液洗浄装置や紫外線発生器、マイクロバブル発生器等を使用して水を１〜５分程度の所定時間循環させた後に、上記三方電磁弁を介して上記洗浄タンク１３０に管路内の水を排水する構成とすることで、少ない水で管路内の水を効率良く洗浄することが出来る。なお、図４に示す供給管路開閉弁４０ｂは、電磁弁であり、これらの電磁弁を開閉させる為に前記診療装置本体１０から不図示の電線をピン等で接続自在に設けて電気を供給する構成となっている。
【００６４】
図５に示す管路洗浄スイッチ１６４、フラッシングスイッチ１６５およびメインスイッチ１６６は、診療装置本体１０のトレーテーブル５（図１参照）等にそれぞれ設けられている。管路洗浄スイッチ１６４は、給水管路の洗浄の際にドクターおよびアシスタント等によって操作される。フラッシングスイッチ１６５は医療用装置１００による診療に先立って、給水管路の洗浄の際にドクターおよびアシスタント等によって操作される。メインスイッチ１６６は医療用装置１００を起動する際にドクターおよびアシスタント等によって操作される。供給用開閉弁４０ａ、供給管路開閉弁４０ｂ、排出用開閉弁４０ｃ及び主管路フラッシング電磁弁４０ｄは、診療装置本体１０のメインスイッチ１６６の作動に連動して作動するように構成されていてもよい。また、制御部１６０は、水質監視用検出器１７０の出力に応じて自動的に供給用開閉弁４０ａ、供給管路開閉弁４０ｂ、排出用開閉弁４０ｃ及び主管路フラッシング電磁弁４０ｄを作動させるように駆動部１６１を制御してもよい。水質監視用検出器１７０の出力に応じてフラッシングも、実際の診療時間の前に１〜５分程度の所定時間行った後に完了するようにタイマーで自動で駆動制御されても良い。
【００６５】
次に、図４〜図７を参照して、本実施の形態に係る医療用装置１００の洗浄方法について説明する。
【００６６】
主に図６および図７を参照して、メインスイッチ１６６またはフラッシングスイッチ１６５がＯＮされる（スイッチＯＮ）と、スリーウェイシリンジ洗浄用の主管路フラッシングが行われる。まず、スリーウェイシリンジ洗浄用の主管路フラッシング電磁弁４０ｄがＯＮされる（開状態）（工程Ｓ１）。これにより、スリーウェイシリンジ洗浄用の主管路（排水管路）は開となり（開状態）、タービンとマイクロモータへの供給管路（給水管路）は供給管路開閉弁４０ｂが閉のままである。続いて、給水用電磁弁５１ｂがＯＮされて開となると、ウォーマータンク５１ｄ、ハンドピース制御ブロック（ＨＰブロック）１０ｂ、スリーウェイシリンジメインチューブ（ＷＳメインチューブ）２４の順に供給管路に水が流される。これにより、順次、スリーウェイシリンジ洗浄用の主管路より残水が排出され、新しい水への入替が実施される。以降、各診療用ハンドピース管路フラッシングが実施される。続いて、主管路フラッシング電磁弁４０ｄがＯＦＦされる（閉状態）。これにより、管路は閉となる（閉状態）。
【００６７】
次に、スリーウェイシリンジ以外の各診療用ハンドピース（ＨＰ）管路フラッシングが行われる。
【００６８】
まず、第１エアタービンハンドピース管路フラッシングが行われる（工程Ｓ２）。第１エアタービン注水電磁弁５２ａ（４０ａ）がＯＮ（開状態）される。これにより、管路は開となる。続いて、第１エアタービン注水切替電磁弁５２ｂ（４０ｂ）が診療時以外は常時ＯＦＦ（閉状態）とされている。この状態ではハンドピース先端部への注水供給管路は閉となる。なお、通常、診療時には、第１エアタービン注水切替電磁弁５２ｂはＯＮ（開状態）とされハンドピースホルダーからの取上げ信号とフートコントローラの操作信号を受け取ると第１エアタービンハンドピース３１が駆動してハンドピース先端部へ注水がなされるが、フラッシング時には、第１エアタービン注水切替電磁弁５２ｂ（４０ｂ）がＯＦＦ（閉状態）である。続いて、メインチューブフラッシング電磁弁４０ｃがＯＮされる。この状態では管路は開となる。したがって、水は、主給水管路５１、第１分岐給水管路５２、第１エアタービンハンドピース３１の供給管路２０ｂ、排出管路２０ｃ、第１分岐排水管路７２、第１主排水管路７１の順に管路内を流れてから洗浄タンク１３０に排水される。これにより、これらの管路内が水道水で洗浄される。このため、第１エアタービンハンドピース３１の供給管路２０ｂが洗浄される。続いて、管路の洗浄に必要な所定時間経過後に第１エアタービン注水電磁弁５２ａ（４０ａ）がＯＦＦされる。これにより、管路は閉となる。
【００６９】
次に、第２エアタービンハンドピース管路フラッシングが行われる（工程Ｓ３）。第２エアタービン注水電磁弁５３ａ（４０ａ）がＯＮされる。これにより、管路は開となる。続いて、第２エアタービン注水切替電磁弁５３ｂ（４０ｂ）は診療時以外は常時ＯＦＦとされている。この状態ではハンドピースへの供給管路は閉となる。なお、通常、診療時には、第２エアタービン注水切替電磁弁５３ｂはＯＮ（開状態）される。メインチューブフラッシング電磁弁４０ｃはＯＮ（開状態）されている。したがって、水は、主給水管路５１、第２分岐給水管路５３、第２エアタービンハンドピース３２の供給管路２０ｂ、排出管路２０ｃ、第２分岐排水管路７３、第１主排水管路７１の順に管路内を流れてから洗浄タンク１３０に排水される。これにより、これらの管路内が洗浄される。このため、第２エアタービンハンドピース３２の供給管路２０ｂが洗浄される。続いて、管路の洗浄に必要な所定時間経過後に第２エアタービン注水電磁弁５３ａがＯＦＦされる。これにより、管路は閉となる。
【００７０】
続いて、マイクロモーターハンドピース管路フラッシングが行われる（工程Ｓ４）。
マイクロモーター注水電磁弁５４ａ（４０ａ）がＯＮされる。これにより、管路は開となる。続いて、マイクロモーター注水切替電磁弁５４ｂ（４０ｂ）が診療時以外は常時ＯＦＦとされている。この状態ではハンドピースへの供給管路は閉となる。なお、通常、診療時には、マイクロモーター注水切替電磁弁５４ｂ（４０ｂ）はＯＮとなり、管路は開とされる。メインチューブフラッシング電磁弁４０ｃはＯＮ（開状態）されている。したがって、水は、主給水管路５１、第３分岐給水管路５４、マイクロモーターハンドピース３３の供給管路２０ｂ、排出管路２０ｃ、第３分岐排水管路７４、第１主排水管路７１の順に管路内を流れてから洗浄タンク１３０に排水される。これにより、これらの管路内が洗浄される。このため、マイクロモーターハンドピース３３の供給管路２０ｂが洗浄される。続いて、マイクロモーター注水電磁弁５４ａ（４０ａ）がＯＦＦされる。これにより、管路は閉となる。続いて、メインチューブフラッシング電磁弁４０ｃはＯＦＦされる。これにより、管路は閉となる。以上で各診療用ハンドピース管路フラッシングが終了する。各診療用ハンドピースは流量の大きい管路から順次洗浄される。これにより、限られた容量の供給管路内でスピーディーに管路内に水を流すことができる。よって、少ない水量で効率よく媒体導管内部を洗浄することができる。このフラッシング動作は１〜５分程度の所定時間行うことで、管路内が水道水の塩素で殺菌洗浄されるので飲用しても問題ないものとなる。上記では、メインチューブフラッシング電磁弁４０ｃは工程Ｓ２でＯＮされ工程Ｓ４でＯＦＦされているが、工程Ｓ２〜工程Ｓ４毎にＯＮおよびＯＦＦされてもよい。
【００７１】
なお、この動作はメインスイッチ１６６がＯＮされた後に毎朝の診療時刻の所定時間前に自動スタートしてもよい。また、この動作は塩素濃度低下時などに自動スタートしてもよい。また、この動作は診療前の設定した時刻にタイマーで自動スタートしてもよい。
【００７２】
さらに、水質監視用検出器１７０の出力に応じて自動的に供給用開閉弁４０ａおよび供給管路開閉弁４０ｂが作動してもよい。これにより、水質が悪化した際に、自動的に洗浄することが可能である。
【００７３】
また、図８を参照して、洗浄装置１１０から主給水管路５１に洗浄剤管路を経由して管路洗浄剤（薬液）が充填されてもよい。洗浄剤管路が開かれると、主管路に洗浄剤が充填される（工程Ｓ１１）。すなわち、洗浄剤が充填された水により、主管路フラッシング（工程Ｓ１）、第１エアタービンハンドピース管路フラッシング（工程Ｓ２）、第２エアタービンハンドピース管路フラッシング（工程Ｓ３）、マイクロモーターハンドピース管路フラッシングが順次行われる（工程Ｓ４）。各診療用ハンドピース管路フラッシングが終了すると、続いて、洗浄剤管路が閉じられ、水管路に切り替えられる（工程Ｓ１２）。以降、自動フラッシング機能により水の入換えが行われる。
【００７４】
この発明が特許文献１の先行技術と根本的に異なる点は、管路内の薬液洗浄を行った後に水道水で管路内を洗浄し直すことである。このように水道水を薬液と置き換えることで、管路内に残留した薬液についてもその影響を排除できる。
【００７５】
続いて、図９を参照して、本実施の形態の変形例１について説明する。なお、本実施の形態の変形例１は、特に言及しない限り、上記の本実施の形態と同じ構成を有しており、同じ構成については同じ符号を付し、その説明を繰り返さない。
【００７６】
本実施の形態の変形例１では、供給管路開閉弁４０ｂは、上記の電磁弁とは異なり、エアーにより作動するように構成されている。
【００７７】
第１エアタービンハンドピース３１の供給管路２０ｂには、第１エアタービン注水切替弁５２ｂ１（供給管路開閉弁４０ｂ）が設けられている。第１エアタービン注水切替弁５２ｂ１は、電磁弁ではなく、タービン駆動エアーで動作するように構成されている。第２エアタービンハンドピース３２の供給管路２０ｂには、第２エアタービン注水切替弁５３ｂ１（供給管路開閉弁４０ｂ）が設けられている。第２エアタービン注水切替弁５３ｂ１は、電磁弁ではなく、タービン駆動エアーで動作するように構成されている。マイクロモーターハンドピース３３の供給管路２０ｂには、マイクロモーター注水切替弁５４ｂ１（供給管路開閉弁４０ｂ）が設けられている。マイクロモーター注水切替弁５４ｂ１は、電磁弁ではなく、クーリングエアーで動作するように構成されている。
【００７８】
続いて、図１０を参照して、本実施の形態の変形例２について説明する。なお、本実施の形態の変形例２は、特に言及しない限り、上記の本実施の形態と同じ構成を有しており、同じ構成については同じ符号を付し、その説明を繰り返さない。本実施の形態の変形例２では、水は供給管路２０ｂから給気管路２０ｄを経由して排水される。つまり、本実施の形態の変形例２においては、排出管路２０ｃは、診療装置本体１０から診療用ハンドピース３０にエアーを給気する給気管路２０ｄである。
【００７９】
第１エアタービンハンドピース３１の給気管路２０ｄには給気管路電磁弁６２ｂが設けられている。第１エアタービンハンドピース３１の供給管路２０ｂと給気管路２０ｄとは給気バイパス管路２０ｅにより接続されている。給気バイパス管路２０ｅには給気バイパス管路電磁弁５２ｃが設けられている。洗浄時には、給気管路電磁弁６２ｂを閉とし、給気バイパス管路電磁弁５２ｃを開として、第１エアタービンハンドピース３１の供給管路２０ｂから給気バイパス管路２０ｅを通って給気管路２０ｄに水を流すことができる。第１エアタービンハンドピース３１の給気管路２０ｄは第１排出管路８１に接続されている。第１排出管路８１には第１排出管路電磁弁４０ｃ１（排出用開閉弁４０ｃ）が設けられている。第１排出管路８１は洗浄タンク１３０に接続されている。
【００８０】
第２エアタービンハンドピース３２の給気管路２０ｄには給気管路電磁弁６３ｂが設けられている。第２エアタービンハンドピース３２の供給管路２０ｂと給気管路２０ｄとは給気バイパス管路２０ｅにより接続されている。給気バイパス管路２０ｅには給気バイパス管路電磁弁５３ｃが設けられている。洗浄時には、給気管路電磁弁６３ｂを閉とし、給気バイパス管路電磁弁５３ｃを開として、第２エアタービンハンドピース３２の供給管路２０ｂから給気バイパス管路２０ｅを通って給気管路２０ｄに水を流すことができる。第２エアタービンハンドピース３２の給気管路２０ｄは第２排出管路８２に接続されている。第２排出管路８２には第２排出管路電磁弁４０ｃ２（排出用開閉弁４０ｃ）が設けられている。第２排出管路８２は洗浄タンク１３０に接続されている。
【００８１】
マイクロモーターハンドピース３３の給気管路２０ｄには給気管路電磁弁６４ｂが設けられている。マイクロモーターハンドピース３３の供給管路２０ｂと給気管路２０ｄとは給気バイパス管路２０ｅにより接続されている。給気バイパス管路２０ｅには給気バイパス管路電磁弁５４ｃが設けられている。洗浄時には、給気管路電磁弁６４ｂを閉とし、給気バイパス管路電磁弁５４ｃを開として、マイクロモーターハンドピース３３の供給管路２０ｂから給気バイパス管路２０ｅを通って給気管路２０ｄに水を流すことができる。マイクロモーターハンドピース３３の給気管路２０ｄは第３排出管路８３に接続されている。第３排出管路８３には第３排出管路電磁弁４０ｃ３（排出用開閉弁４０ｃ）が設けられている。第３排出管路８３は洗浄タンク１３０に接続されている。
【００８２】
スリーウェイシリンジ３４の供給管路２０ｂと給気管路２０ｄとは給気バイパス管路２０ｅにより接続されている。給気バイパス管路２０ｅには給気バイパス管路電磁弁５５ｃが設けられている。洗浄時には、給気バイパス管路電磁弁５５ｃを開としてスリーウェイシリンジ３４の供給管路２０ｂから給気バイパス管路２０ｅを通って給気管路２０ｄに水を流すことができる。スリーウェイシリンジ３４の給気管路２０ｄは第４排出管路８４に接続されている。第４排出管路８４には主管路フラッシング電磁弁４０ｄが設けられている。第４排出管路８４は洗浄タンク１３０に接続されている。尚、スリーウェイシリンジ３４の給気管路２０ｄを使用して排水する場合には、第４分岐エアー供給管路６５に管路洗浄時に給気を止める為の電磁弁５５ａを設けている。
【００８３】
続いて、図１１を参照して、本実施の形態の変形例３について説明する。なお、本実施の形態の変形例３は、特に言及しない限り、上記の本実施の形態および変形例２と同じ構成を有しており、同じ構成については同じ符号を付し、その説明を繰り返さない。
【００８４】
本実施の形態の変形例３では、水は供給管路２０ｂから排気管路２０ｆを経由して排水される。つまり、本実施の形態の変形例３においては、排出管路２０ｃは、診療用ハンドピース３０から診療装置本体１０にエアーを排気する排気管路２０ｆである。尚、排気管路２０ｆを使用する排水構成を採用できるのは、もともと排気管路を持っているエアタービンハンドピースの場合のみであり、マイクロモータハンドピースやスリーウェイシリンジでは排水管路２０ｃからの排水となる。
【００８５】
第１エアタービンメインチューブ２１は排気管路２０ｆを含んでいる。エアタービンハンドピースでは、給気管路から供給された給気は、ハンドピースヘッド（不図示）に供給され、タービンを駆動した後、排気管路２０ｆを経由して診療装置本体内で放出される。
【００８６】
第１エアタービンメインチューブ２１の排気管路２０ｆの一端（第１端）は、第１メインチューブ着脱部１０ａ１において第１排出管路８１に接続されている。第１エアタービンメインチューブ２１の排気管路２０ｆの他端（第２端）は第１エアタービンハンドピース３１に接続されている。
【００８７】
第１エアタービンメインチューブ２１の排気管路２０ｆには排気管路電磁弁６２ｃが設けられている。第１エアタービンハンドピース３１の供給管路２０ｂと排気管路２０ｆとは排気バイパス管路２０ｇにより接続されている。排気バイパス管路２０ｇには排気バイパス管路電磁弁５２ｄが設けられている。洗浄時には、ハンドピース制御ブロック１０ｂに設けた排気管路電磁弁６２ｃを閉とし、ハンドピース３１に設けた排気バイパス管路電磁弁５２ｄを開として、ハンドピース制御ブロック１０ｂに設けた開閉弁５２ａを開とし、ハンドピース３１に設けた開閉弁５２ｂを閉とし、診療装置本体１０に設けた開閉弁１８１を閉じ、診療装置本体１０に設けた開閉弁４０ｃ１を開とすることで第１エアタービンハンドピース３１の供給管路２０ｂから排気バイパス管路２０ｇを通って排気管路２０ｆに水を流すことができる。
【００８８】
第２エアタービンメインチューブ２２は排気管路２０ｆを含んでいる。第２エアタービンメインチューブ２２の排気管路２０ｆの一端（第１端）は、第２メインチューブ着脱部１０ａ２において第２排出管路８２に接続されている。第２エアタービンメインチューブ２２の排気管路２０ｆの他端（第２端）は第２エアタービンハンドピース３２に接続されている。
【００８９】
第２エアタービンメインチューブ２２の排気管路２０ｆには排気管路電磁弁６３ｃが設けられている。第２エアタービンハンドピース３２の供給管路２０ｂと排気管路２０ｆとは排気バイパス管路２０ｇにより接続されている。排気バイパス管路２０ｇには排気バイパス管路電磁弁５３ｄが設けられている。洗浄時には、ハンドピース制御ブロック１０ｂに設けた排気管路電磁弁６３ｃを閉とし、ハンドピース３２に設けた排気バイパス管路電磁弁５３ｄを開として、ハンドピース制御ブロック１０ｂに設けた開閉弁５３ａを開とし、ハンドピース３２に設けた開閉弁５３ｂを閉とし、診療装置本体１０に設けた開閉弁１８２を閉じ、診療装置本体１０に設けた開閉弁４０ｃ２を開とすることで第２エアタービンハンドピース３２の供給管路２０ｂから排気バイパス管路２０ｇを通って排気管路２０ｆに水を流すことができる。
【００９０】
また、第１エアタービンハンドピース３１の排出管路２０ｃ及び第２エアタービンハンドピース３２の排出管路２０ｃは、それぞれ開閉弁４０ｃ１及び開閉弁４０ｃ２の手前で分岐し、排水は管路８１及び８２を経由して洗浄タンクに排出され、排気は、開閉弁１８１及び１８２を介して集油ケース１８０に潤滑油を回収する構成となっている。
【００９１】
また、水道水によるフラッシング時間は、通常は１〜５分程度の時間に渡って管路内に水道水を流して洗浄するものであるが、医療用装置に医療用装置の不使用時間を計測する時計を備えておいて、この時計が測定した不使用時間が長ければ、水道水によるフラッシング時間を５分よりも長く設定して管路内の雑菌を確実に死滅させるように洗浄しても良い。このように医療用装置の不使用時間の長さに応じてフラッシング時間の長さを決めるようにしても良い。なお、上記時計は、メインスイッチのＯＮ／ＯＦＦに連動して計測しても良いし、診療用ハンドピースのハンドピースホルダーからの取上げ又は、フートコントローラの操作などの信号に連動して計測し、別途に設けた記憶手段に医療用装置の使用及び不使用時間を記憶するようにしても良い。
【００９２】
図１２は、図２に示す診療用ハンドピース３０に着脱係合するための媒体導管２０の先端に設けられた係合部２０Ｘの組立断面図である。係合部２０Ｘの内部には、図９で説明した第１エアタービン注水切替弁５２ｂ１（供給管路開閉弁４０ｂ）が設けられている。第１エアタービン注水切替弁５２ｂ１（供給管路開閉弁４０ｂ）は、タービン駆動エアーが供給されると給気管路２０ｄの給気圧力により上記供給管路開閉弁４０ｂの弁体５２２がスプリング５２１に抗して下方に押圧され、供給管路２０ｂが開とされ、ハンドピースに給気され、ハンドピースが駆動されると共にハンドピースヘッドに設けた注水口から注水される。エアーが供給されない時は、上記スプリング５２１の力で、上記弁体５２２は、常時閉とされているので、供給用開閉弁４０ａが開かれれば、供給管路２０ｂからの水は排出管路２０ｃに向けて排出される。
【００９３】
図１２に示すエアタービンハンドピース３１は、外部に水を注水する注水口３０ａを有している。係合部２０Ｘ内に供給管路開閉弁４０ｂ、供給路３０ｂ及び排出路３０ｃが備えられており、マイクロモータハンドピースの場合も同様である。また、スリーウェイシリンジの場合には、供給管路開閉弁４０ｂは設けられずに手動開閉弁、供給路３０ｂ及び排出路３０ｃを備える。図１０の実施例に示す給気管路２０ｄを排出管路２０ｃとして使用する場合には、スリーウェイシリンジ３４の内部に供給管路開閉弁４０ｂ、給気バイパス電磁弁５５ｃ、供給路２０ｂ及び排出路２０ｃを備えた構成となる。また、ハンドピースの種類としては、これらの他に超音波スケーラやエアスケーラであっても良い。また、ハンドピース３１が媒体導管２０の係合部２０Ｘに対して不意に離脱してしまうことを防ぐ為に、係合部２０Ｘの突出部２０Ｘａの外周に溝２００を設け、その溝２００に嵌り込む弾性体で形成されたＣリング２１０を装着し、対応するハンドピース３１の連結部５２３の内周には前記Ｃリング２１０が嵌り込む周溝３１０が形成されている。このＣリング２１０の外径は、突出部２０Ｘａの外周に設けた前記溝２００に装着された状態で、前記突出部２０Ｘａの外径よりわずかに大きく形成されており、そのＣリング２１０の弾性により連結時にＣリング２１０の径が拡大し、係合部２０Ｘとハンドピース３１が連結する。突出部２０Ｘａに連結部５２３を連結した状態で前記連結部５２３の内周部の内径よりもわずかに大きい外径を持ち前記連結部５２３の内周部に形成した溝３１０に嵌り込むことで前記ハンドピース３１が前記係合部２０Ｘから外れないように保持される構成としている。また、このＣリングは、断面が傾斜した山形に形成されているので、前記ハンドピース３１を前記係合部２０Ｘに対して軸方向に引けば、前記Ｃリングの外径は前記溝２００の中でハンドピース３１の連結部５２３の内径以下に縮むので、前記ハンドピース３１と前記係合部２０Ｘの連結が解除されるので、着脱が容易である。なお、このＣリングを連結部５２３の内周に形成した溝３１０に装着する構成でも良い。
【００９４】
次に、本実施の形態の作用効果について説明する。
本実施の形態の医療用装置１００によれば、弁４０は、供給管路２０ｂから診療用ハンドピース３０、および、排出管路２０ｃを経由して診療装置本体１０のいずれかに水を流すように構成されているため、供給管路２０ｂから排出管路２０ｃに水を流すことができる。したがって、水により供給管路２０ｂを洗浄することができるため、供給管路２０ｂの洗浄を簡素化することができる。また、減菌剤等を使用したり、減菌装置を必須とすることなく、単に管路に水道水を流すだけで、水道水に含まれる塩素によって管路が殺菌されるので、媒体導管内部での雑菌の繁殖を抑制することができる。そのために、本発明で言う「水」とは、水道水を指す。
【００９５】
本実施の形態の医療用装置１００は、好ましくは、供給用開閉弁４０ａを開とし、供給管路開閉弁４０ｂを閉とし、メインチューブフラッシング電磁弁４０ｃを開とすることで、供給管路２０ｂから排出管路２０ｃを経由して診療装置本体１０に水が流れるように構成されている。このため、供給用開閉弁４０ａを開とし、供給管路開閉弁４０ｂを閉とすることで、供給管路２０ｂから排出管路２０ｃに水を流して、供給管路２０ｂを洗浄することができる。
【００９６】
本実施の形態の医療用装置１００は、好ましくは、供給用開閉弁４０ａおよび各ハンドピース毎に設けられた供給管路開閉弁４０ｂの開閉を制御し、メインチューブフラッシング電磁弁４０ｃを開閉することで、各ハンドピースの少なくともいずれかの供給管路２０ｂから排出管路２０ｃを経由して診療装置本体１０に前記水が流れるように構成されている。このため、供給用開閉弁４０ａおよび各ハンドピース毎に設けられた供給管路開閉弁４０ｂと、メインチューブフラッシング電磁弁４０ｃの開閉を制御して、各ハンドピース毎に、供給管路２０ｂから排出管路２０ｃに水を流して、供給管路２０ｂを洗浄することができる。
【００９７】
本実施の形態の医療用装置１００の変形例１によれば、供給管路開閉弁４０ｂは、エアーにより作動するように構成されている。このため、エアーにより供給管路開閉弁４０ｂを制御することができる。したがって、タービン駆動エアー、クーリングエアなどのエアーを用いて供給管路開閉弁４０ｂを制御することができる。具体的には、駆動エアーの給気管路２０ｄの作動圧を弁の信号圧として利用することができる。
【００９８】
本実施の形態の医療用装置１００によれば、好ましくは、供給用開閉弁４０ａおよび供給管路開閉弁４０ｂは、診療装置本体１０のメインスイッチ１６６の作動に連動して作動するように構成されている。このため、メインスイッチ１６６の作動に連動させて、供給管路２０ｂから排出管路２０ｃに水を流して、供給管路２０ｂを洗浄することができる。したがって、洗浄用のスイッチを特別に操作しなくても良い。また、洗浄用のスイッチをなくしても良い。
【００９９】
本実施の形態の医療用装置１００によれば、好ましくは、水質監視用検出器１７０の出力に応じて自動的に供給用開閉弁４０ａおよび供給管路開閉弁４０ｂは作動するように構成されている。このため、水質が所定基準以下となった場合に、水質監視用検出器１７０がその水質を検出することにより、自動的に供給管路２０ｂから排出管路２０ｃに水を流して、供給管路２０ｂを洗浄することができる。したがって、管路内の水質が適切に保たれていることを把握することができる。
【０１００】
本実施の形態の医療用装置１００によれば、好ましくは、供給管路２０ｂは、診療装置本体１０から診療用ハンドピース３０に水を供給する給水管路である。
【０１０１】
本実施の形態の医療用装置１００によれば、好ましくは、排出管路２０ｃは、媒体導管２０から診療装置本体１０に水を排出する排水管路である。このため、排水管路から水を排水することができる。
【０１０２】
本実施の形態の医療用装置１００は、好ましくは、洗浄タンク１３０に貯留された水が、バキュームタンク１５０に流れるように構成されている。このため、洗浄タンク１３０に貯留された水によりバキュームタンク１５０を洗浄することができる。したがって、水を有効に使用することができる。
【０１０３】
本実施の形態の医療用装置１００の変形例２によれば、弁４０は、供給管路２０ｂから診療用ハンドピース３０、および、給気管路２０ｄを経由して診療装置本体１０のいずれかに水を流すように構成されている。このため、給気管路２０ｄを排出管路２０ｃとして利用することができる。したがって、供給管路２０ｂから給気管路２０ｄに水を流して、供給管路２０ｂを洗浄することができる。そのため、診療用ハンドピース３０に既に存在している給気管路２０ｄを排出管路２０ｃとして兼用することができる。つまり、特別な戻り管路を設ける必要がない。よって、管路数が増えないため媒体導管２０の柔軟性が損なわれることを抑制できる。さらに、コストの増加を抑制することもできる。また、水を流すことにより給気管路２０ｄを洗浄することができる。
【０１０４】
本実施の形態の医療用装置１００の変形例３によれば、弁４０は、供給管路２０ｂから診療用ハンドピース３０、および、排気管路２０ｆを経由して診療装置本体１０のいずれかに水を流すように構成されている。このため、排気管路２０ｆを排出管路２０ｃとして利用することができる。したがって、供給管路２０ｂから排気管路２０ｆに水を流して、供給管路２０ｂを洗浄することができる。そのため、診療用ハンドピース３０に既に存在している排気管路２０ｆを排出管路２０ｃとして兼用することができる。つまり、特別な戻り管路を設ける必要がない。よって、管路数が増えないため媒体導管２０の柔軟性が損なわれることを抑制できる。さらに、コストの増加を抑制することもできる。また、水を流すことにより排気管路２０ｆを洗浄することができる。
【０１０５】
本実施の形態の媒体導管セットによれば、弁４０は、供給管路２０ｂから診療用ハンドピース３０、および、排出管路２０ｃのいずれかに水を流すように構成されている。このため、供給管路２０ｂから排出管路２０ｃに水を流すことができる。したがって、水により供給管路２０ｂを洗浄することができるため、供給管路２０ｂの洗浄を簡素化することができる。
【０１０６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０７】
１  診療台、２  スピットン、３  照明装置、４  照明装置用アーム、５  トレーテーブル、６  トレーテーブル用アーム、１０  診療装置本体、１０ｂ  ハンドピース制御ブロック、２０  媒体導管、２０ａ  外装、２０ｂ  供給管路、２０ｃ  排出管路、２０ｄ
給気管路、２０ｅ  給気バイパス管路、２０ｆ  排気管路、２０ｇ  排気バイパス管路、２１  第１エアタービンメインチューブ、２２  第２エアタービンメインチューブ、２３  マイクロモーターメインチューブ、２４  スリーウェイシリンジメインチューブ、３０  診療用ハンドピース、３１  第１エアタービンハンドピース、３２  第２エアタービンハンドピース、３３  マイクロモーターハンドピース、３４  スリーウェイシリンジ、４０  弁、４０ａ  供給用開閉弁、４０ｂ  供給管路開閉弁、４０ｃ  メインチューブフラッシング電磁弁、４０ｄ  主管路フラッシング電磁弁、５０  給水用管路、５１  主給水管路、５２  第１分岐給水管路、５２ａ  第１エアタービン注水電磁弁、５２ｂ  第１エアタービン注水切替電磁弁、５２ｂ１  第１エアタービン注水切替弁、５２ｃ，５３ｃ，５４ｃ，５５ｃ  給気バイパス管路電磁弁、５２ｄ，５３ｄ  排気バイパス管路電磁弁、５３  第２分岐給水管路、５３ａ  第２エアタービン注水電磁弁、５３ｂ１  第２エアタービン注水切替弁、５３ｂ  第２エアタービン注水切替電磁弁、５４  第３分岐給水管路、５４ａ  マイクロモーター注水電磁弁、５４ｂ  マイクロモーター注水切替電磁弁、５４ｂ１  マイクロモーター注水切替弁、５５  第４分岐給水管路、５６  第５分岐給水管路、６０  エアー供給管路、７０  排水用管路、７１  第１主排水管路、７２  第１分岐排水管路、７３  第２分岐排水管路、７４  第３分岐排水管路、７５  第２主排水管路、８１  第１排出管路、８２  第２排出管路、８３  第３排出管路、８４  第４排出管路、１００  医療用装置、１１０  薬液洗浄装置、１１１  薬液量検出部、１２０  流量計、１３０  洗浄タンク、１４０  排水部、１５０  バキュームタンク、１６０  制御部、１７０  水質監視用検出器。
【図１】
2020022888.tif 000003
【図２】
2020022888.tif 000004
【図３】
2020022888.tif 000005
【図４】
2020022888.tif 000006
【図５】
2020022888.tif 000007
【図６】
2020022888.tif 000008
【図７】
2020022888.tif 000009
【図８】
2020022888.tif 000010
【図９】
2020022888.tif 000011
【図１０】
2020022888.tif 000012
【図１１】
2020022888.tif 000013
【図１２】
2020022888.tif 000014
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
診療装置本体と、
前記診療装置本体に接続された可撓性の媒体導管と、
前記媒体導管に接続され、かつ前記診療装置本体に前記媒体導管を経由して接続された診療用ハンドピースとを備え、
前記媒体導管は、
外装と、
前記外装の内部に配置され、かつ前記診療装置本体から前記診療用ハンドピースに水を供給する供給管路と、
前記外装の内部に配置され、前記供給管路に接続され、かつ前記媒体導管から前記診療装置本体に前記水を排出する排出管路と、
前記診療用ハンドピースにエアーを供給する給気管路とを含み、
前記供給管路から前記診療用ハンドピース、および、前記排出管路を経由して前記診療装置本体のいずれかに前記水を流すように構成された弁をさらに備え、
前記診療装置本体は、
前記供給管路に前記水を供給する媒体供給部を含み、
前記弁は、
前記媒体供給部と前記供給管路との間に配置された供給用開閉弁と、
前記排出管路が接続された前記供給管路の接続部分と前記診療用ハンドピースとの間に配置された供給管路開閉弁とを含み、
前記供給用開閉弁を開とし、前記供給管路開閉弁を閉とすることで、前記供給管路から前記排出管路を経由して前記診療装置本体に前記水が流れるように構成されており、
前記媒体供給部は、水元に接続されており、
前記供給管路は、前記診療装置本体から前記診療用ハンドピースに前記水元から供給される水道水を供給する給水管路であり、
前記排出管路は、前記媒体導管から前記診療装置本体に前記水を排出する排水専用の排水管路である、医療用装置。
【請求項２】
前記排出管路の一端は前記診療装置本体に接続されており、かつ前記排出管路の他端は前記供給管路開閉弁の手前で前記供給管路に接続されており、
前記供給管路から前記排出管路の前記他端を経由して前記診療装置本体に前記水が流れるように構成されている、請求項１に記載の医療用装置。
【請求項３】
前記診療用ハンドピースは複数のハンドピースを含み、
前記供給用開閉弁および前記各ハンドピース毎に設けられた前記供給管路開閉弁の開閉を制御して、前記各ハンドピースの少なくともいずれかの前記供給管路から前記排出管路を経由して前記診療装置本体に前記水が流れるように構成されている、請求項１または２に記載の医療用装置。
【請求項４】
前記供給用開閉弁および前記供給管路開閉弁は、前記エアーにより作動するように構成されている、請求項１〜３のいずれか１項に記載の医療用装置。
【請求項５】
前記供給用開閉弁および前記供給管路開閉弁は、前記診療装置本体に備えられたタイマーで自動的に駆動するように構成されており、
前記供給用開閉弁を開とし、前記供給管路開閉弁を閉とすることで、前記供給管路から前記排出管路を経由して前記診療装置本体に前記水が流れる動作は、診療前の設定した時刻に前記タイマーで自動スタートする、請求項１〜４のいずれか１項に記載の医療用装置。
【請求項６】
前記診療装置本体および前記供給管路の少なくともいずれかに滞留する前記水の水質監視用検出器をさらに備え、
前記水質監視用検出器の出力に応じて自動的に前記供給用開閉弁および前記供給管路開閉弁は作動するように構成されている、請求項１〜４のいずれか１項に記載の医療用装置。
【請求項７】
前記診療装置本体は、
前記排出管路から排出された前記水を貯留する洗浄タンクと、
前記洗浄タンクに接続されたバキュームタンクとを含み、
前記洗浄タンクに貯留された前記水が、前記バキュームタンクに流れるように構成されている、請求項１〜６のいずれか１項に記載の医療用装置。
【請求項８】
前記供給管路開閉弁が前記媒体導管の先端部に備えられた前記診療用ハンドピースとの係合部に設けられており、
前記供給管路開閉弁に前記エアーが供給されると、前記給気管路の給気圧力により前記供給管路開閉弁の弁体がスプリングに抗して下方に押圧され、前記供給管路が開とされ、前記診療用ハンドピースに給気され、前記診療用ハンドピースが駆動されると共にハンドピースヘッドに設けた注水口から注水され、
前記エアーが供給されない時は、前記スプリングの力で上記弁体は常時閉とされているので前記供給用開閉弁が開かれれば、前記供給管路からの前記水は前記排出管路に向けて排出される、請求項１〜７のいずれか１項に記載の医療用装置。
【請求項９】
前記供給管路および前記排出管路に前記水道水だけが流される、請求項１〜８のいずれか１項に記載の医療用装置。